(57)【特許請求の範囲】
【請求項１】
予め複数の音声ガイドが格納された音声ガイド格納部と、
前記音声ガイド格納部に格納された音声ガイドをユーザー操作に応じて再生して出力する再生制御部と、
音声ガイドの再生履歴を記憶する再生履歴記憶部と、
前記再生履歴記憶部に記憶された前記音声ガイドの再生履歴を表示する表示部と、
を具備し、
前記再生制御部は、前記表示部に表示された前記再生履歴のうち、ユーザーによって選択された再生履歴に対応する音声ガイドを前記音声ガイド格納部から再生して音声出力する、
体外式除細動器。
【請求項２】
前記表示部には、再生された音声ガイドに対応する記号を含む前記再生履歴が表示される、
請求項１に記載の体外式除細動器。
【請求項３】
少なくとも前記体外式除細動器が操作されているときの外部音声を録音する録音部を、さらに具備し、
前記再生制御部は、ユーザーによって選択された前記再生履歴に対応する音声ガイドが再生された時間であり、前記体外式除細動器の使用時に音声ガイドが再生された時間に、前記録音部に録音された外部音声を再生可能とされている、
請求項１又は請求項２に記載の体外式除細動器。
【発明の詳細な説明】
【技術分野】
【０００１】
本発明は、音声ガイド機能を有する体外式除細動器に関する。
【背景技術】
【０００２】
電極を用いて患者の心筋に電気ショックを与え、心臓の細動を除去する、体外式除細動器が知られている。体外式除細動器には、手動式除細動器及び自動体外式除細動器（ＡＥＤ：Automated External Defibrillator）がある。ＡＥＤは、平成１６年に非医療従事者による使用が認められ、それ以降、駅や運動施設等の公共施設に広く設置されている。
【０００３】
体外式除細動器（以下、単に除細動器と呼ぶこともある）には、使用者が迅速かつ正しく操作を行うことができるように、音声ガイド機能が備わっている。音声ガイドは予めメモリなどの記憶部に記憶されており、使用者の操作に対応した音声ガイドが記憶部から再生されて音声出力される。除細動器の音声ガイド機能については、例えば特許文献１に記載されている。
【先行技術文献】
【特許文献】
【０００４】
【特許文献１】特許第４９６９６４５号公報
【発明の概要】
【発明が解決しようとする課題】
【０００５】
ところで、体外式除細動器は、操作履歴や音声ガイドの再生履歴を記憶しておくことで、それらの履歴を証拠として残すようになっている。
【０００６】
音声ガイドの履歴については、何日の何時何分にどの音声ガイドが再生されたかが記録される。ここで、各音声ガイドには記号が割り当てられており、再生履歴には再生された音声ガイドに対応する記号が記録される。例えば、「ショックボタンを押してください」の音声ガイドには記号「Ｃ５１」が割り当てられ、「解析中です患者に触れないでください」の音声ガイドには記号「Ｃ５２」が割り当てられている。そして、再生履歴には記号「Ｃ５１」と記号「Ｃ５２」が記録される。
【０００７】
ここで、音声ガイドの再生履歴の確認画面には、再生履歴記憶部に記憶された記号「Ｃ５１」及び「Ｃ５２」と、その再生日時と、が表示される。そして、ユーザーは、表示された記号「Ｃ５１」及び「Ｃ５２」の音声内容がどのようなものであるかを、手元の対応表から探すことで、どの音声ガイドが再生されたかを確認する。
【０００８】
このように、従来は、除細動器の使用時にどの音声ガイドが再生されたかを確認するためには、手元の対応表を用いて、画面に表示された記号に対応する音声ガイドの内容を見つけ出さなければならないため、手間がかかる欠点があった。
【０００９】
本発明は、以上の点を考慮してなされたものであり、除細動器の使用時にどのような内容の音声ガイドが再生されたかを容易に確認できる体外式除細動器を提供することを目的とする。
【課題を解決するための手段】
【００１０】
本発明の体外式除細動器の一つの態様は、
予め複数の音声ガイドが格納された音声ガイド格納部と、
前記音声ガイド格納部に格納された音声ガイドをユーザー操作に応じて再生して出力する再生制御部と、
音声ガイドの再生履歴を記憶する再生履歴記憶部と、
前記再生履歴記憶部に記憶された前記音声ガイドの再生履歴を表示する表示部と、
を具備し、
前記再生制御部は、前記表示部に表示された前記再生履歴のうち、ユーザーによって選択された再生履歴に対応する音声ガイドを前記音声ガイド格納部から再生して音声出力する。
【発明の効果】
【００１１】
本発明によれば、再生制御部が表示部に表示された音声ガイドの再生履歴のうちユーザーによって選択された再生履歴に対応する音声ガイドを音声ガイド格納部から再生して音声出力するので、除細動器が使用されたときにどのような内容の音声ガイドが再生されたかを容易に確認できるようになる。
【図面の簡単な説明】
【００１２】
【図１】実施の形態の体外式除細動器の要部構成を示すブロック図
【図２】体外式除細動器の正面図
【図３】表示部に表示された再生履歴の例を示す図
【図４】他の実施の形態による再生履歴の表示例を示す図
【発明を実施するための形態】
【００１３】
以下、本発明の実施の形態について、図面を参照して詳細に説明する。
【００１４】
図１は、本発明の実施の形態に係る体外式除細動器の要部構成を示すブロック図である。体外式除細動器１００は、制御部１１、表示部１２、音声出力部１３、記録部１４、電源部１５、交流電源１６、バッテリ１７、アンプ部１８、高圧部１９、リレー２０、インピーダンスセンサ２１及び四肢誘導入力部２２を有する。さらに、体外式除細動器１００は、電極部２ａ、３ａ、充電スイッチ３０及び通電スイッチ３１、３２を有する。
【００１５】
制御部１１は、ＣＰＵ（Central Processing Unit）等の演算処理装置であり、体外式除細動器１００の各部の動作制御を行う。
【００１６】
表示部１２は、ＬＣＤ（Liquid Crystal Display）等の表示装置であり、制御部１１により処理された心電図波形や数値データ等の表示を行う。音声出力部１３は、スピーカであり、音声ガイドやアラーム等の音声の出力を行う。記録部１４は、プリンタ等の記録装置であり、記録紙等の記録媒体に、制御部１１により処理された情報・データの記録を行う。電源部１５は、体外式除細動器１００の各部、特に高圧部１９に対して、交流電源１６或いはバッテリ１７からの電源供給を行う。アンプ部１８は、リレー２０を介して入力されるパドル誘導の心電図信号、或いは四肢誘導入力部２２から入力される四肢誘導の心電図信号を処理し、処理後の心電図信号を制御部１１に出力する。
【００１７】
高圧部１９は、充電スイッチ３０が押下されたときには、電源電圧を高圧トランス（図示せず）で昇圧することにより高圧を生成し、この高圧で高圧コンデンサ（図示せず）を充電することにより、充電エネルギーを得る。除細動パルスの出力エネルギーとなる充電エネルギーのレベルは、手動で設定可能である。
【００１８】
また、高圧部１９は、通電スイッチ３１、３２がオンされたときには、充電エネルギーから高圧の除細動パルスを生成し、この除細動パルスを、リレー２０を介して電極部２ａ、３ａに出力する。なお、通電スイッチ３１、３２は体外パドル１１０、１２０（図２）のショックボタン１３６ａ、１３６ｂがユーザーによって押されたときにオンされる。
【００１９】
高圧部１９は、高圧コンデンサの充電エネルギーの一部又は全部を吸収可能な抵抗素子（図示せず）をさらに有する構成であってもよい。この場合、必要に応じてこの抵抗素子を高圧コンデンサに接続することにより、高圧コンデンサの充電エネルギーを内部放電することができる。
【００２０】
リレー２０は、例えば励磁コイルと機械接点とを備えた電磁式リレーであり、制御部１１からの制御信号に従って接点の接離を行い、接点接続時に高圧部１９から電極部２ａ、３ａへの除細動パルス出力を可能にする。
【００２１】
インピーダンスセンサ２１は、電極部２ａ、３ａを用いて患者の生体インピーダンスを検知し、検知された生体インピーダンスを制御部１１に通知する。検知方法としては従来周知の方法を採用可能であるため、ここではその詳細な説明を省略する。
【００２２】
かかる構成に加えて、体外式除細動器１００は、音声ガイド格納部４１を有する。音声ガイド格納部４１には、音声ガイドとして、例えば、「充電開始」、「充電中止」、「充電中断」、「内部放電」、「充電エネルギーオーバー」、「バッテリ残量注意」、「コンセントに繋いでください」、「同期モード」、「同期モード継続」、「同期モード解除」、「ショックボタンを押してください」、「解析中です患者に触れないでください」、「胸骨圧迫を開始してください」、などの音声が格納されている。そして、各音声ガイドには、１対１で対応付けられた記号が割り当てられている。例えば、「充電開始」には記号Ｃ４１、「充電中止」には記号Ｃ４２、「充電中断」には記号Ｃ４３、「内部放電」には記号Ｃ４４、「充電エネルギーオーバー」には記号Ｃ４５、「バッテリ残量注意」には記号Ｃ４６、「コンセントに繋いでください」には記号Ｃ４７、「同期モード」には記号Ｃ４８、「同期モード継続」には記号Ｃ４９、「同期モード解除」には記号Ｃ５０、「ショックボタンを押してください」には記号Ｃ５１、「解析中です患者に触れないでください」には記号Ｃ５２、「胸骨圧迫を開始してください」には記号Ｃ５３が、それぞれ割り当てられている。
【００２３】
制御部１１は、再生制御部としての機能を有し、ユーザーによる体外式除細動器１００の操作に応じた音声ガイドを、音声ガイド格納部４１から読み出して、音声出力部１３から出力させる。また、制御部１１は、音声ガイド格納部４１から読み出して音声出力部１３から出力させた音声ガイドの記号Ｃ４１〜Ｃ５３と、再生日時とを、再生履歴記憶部４２に記憶する。
【００２４】
図２は、体外式除細動器１００を正面から見た外観図である。体外式除細動器１００は、誘導切替ボタン１３１、アラーム音中断ボタン１３２、ソフトボタン１３３、十字キー１３４、ペーシングボタン１３５、ショックボタン１３６、１３６ａ、１３６ｂ、充電ボタン１３７、同期ボタン１３８、出力エネルギー設定ノブ１４０などを有する。ここで、ショックボタン１３６、１３６ａ、１３６ｂが押されると図１の通電スイッチ３１、３２がオンされる。充電ボタン１３７が押されると、図１の充電スイッチ３０がオンされる。ペーシングボタン１３５は、ペーシングの開始及び停止、ペーシングレート、ペーシング出力レベルを設定するために用いられる。同期ボタン１３８は、体外式除細動器１００を同期式除細動モード又は非同期式除細動モードに設定するために用いられる。出力エネルギー設定ノブ１４０は、エネルギーの選択、ＡＥＤモードの選択や、電源ＯＦＦ設定を行うために用いられる。
【００２５】
体外式除細動器１００は、ソフトボタン１３３を操作することで、再生履歴記憶部４２に記憶された再生履歴を表示部１２に表示できるようになっている。
【００２６】
図３は、表示部１２に表示された再生履歴の例を示す。図の例では、２０１４年の９月２２日の１０時２１分に記号Ｃ４６の音声ガイド及び記号Ｃ４２の音声ガイドが再生されたことが表示されている。また、２０１４年の９月２２日の９時５６分に記号Ｃ４６の音声ガイド及び記号Ｃ４２の音声ガイドが再生されたことが表示されている。
【００２７】
ユーザーが、表示された再生履歴の中から、十字キー１３４を用いてカーソルを動かしいずれかの再生履歴を選択すると、制御部１１が、選択された記号に対応する音声ガイドを音声ガイド格納部４１から読み出して、その記号に対応する音声ガイドを音声出力部１３から音声出力する。つまり、制御部１１は、ユーザーによって選択された記号を読み出しアドレスとしてその記号に対応する音声ガイドを再生する。図３の例では、ユーザーによって記号Ｃ４６が選択され、記号Ｃ４６に対応する音声ガイド、すなわち「バッテリ残量注意」が音声出力部１３から出力される。
【００２８】
これにより、ユーザーは、記号Ｃ４６に対応する音声ガイドを、音声ガイドの対応表を見ることなく、容易に確認できるようになる。
【００２９】
因みに、体外式除細動器１００においては、電源を投入してからの外部音声が録音部４３に録音されるようになっている。そして、再生履歴の中からユーザーによって選択された記号の音声ガイドが再生された時間に、録音部４３によって録音された外部音声を音声出力部１３から出力することもできるようになっている。つまり、図３の例のように２０１４年の９月２２日の１０時２１分の記号Ｃ４６が選択された場合には、２０１４年の９月２２日の１０時２１分に録音された外部音声が音声出力部１３から出力される。
【００３０】
これにより、ユーザーは、音声ガイドの内容に加えて、その音声ガイドがどのような状況で出力されたのかを迅速に確認することができるようになる。
【００３１】
このように、本実施の形態によれば、予め複数の音声ガイドが格納された音声ガイド格納部４１と、音声ガイド格納部４１に格納された音声ガイドをユーザー操作に応じて再生出力する再生制御部（制御部１１）と、音声ガイドの再生履歴を記憶する再生履歴記憶部４２と、再生履歴記憶部４２に記憶された音声ガイドの再生履歴を表示する表示部１２と、を有し、再生制御部（制御部１１）は、表示部１２に表示された再生履歴のうち、ユーザーによって選択された再生履歴に対応する音声ガイドを音声ガイド格納部４１から再生して音声出力するようにしたことにより、除細動器の使用時にどのような内容の音声ガイドが再生されたかを容易に確認できるようになる。
【００３２】
なお上述の実施の形態では、各音声ガイドには１対１で対応付けられた記号Ｃ４１〜Ｃ５３を再生履歴として表示する場合について述べたが、記号Ｃ４１〜Ｃ５３を再生履歴として表示しなくてもよい。ただし、実施の形態のように記号Ｃ４１〜Ｃ５３を再生履歴として表示すれば、ユーザーは、所望の再生履歴を選択することで出力される音声ガイドに加えて、手元の対応表も使って操作時にどの音声ガイドが出力されたのかを確認することができる。
【００３３】
また、図４に示したように、「ガイダンス再生」、「外部音再生」を選択できるアイコンを、再生履歴と共に表示部１２に表示し、ユーザーが「ガイダンス再生」を選択したときには再生履歴で選択した日時に再生された音声ガイダンスを音声ガイド格納部４１から再生し、ユーザーが「外部音再生」を選択したときには再生履歴で選択した日時に再生された外部音を録音部４３から再生してもよい。このようにすれば、一旦再生履歴から日時を選択すると、その日時に出力された音声ガイダンスに加えて外部音も再生できるようになるので、音声ガイダンスが出力されたときの状況をより速やかに確認できるようになる。
【００３４】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【００３５】
本発明は、音声ガイド機能を有する体外式除細動器に広く適用できる。
【符号の説明】
【００３６】
２ａ、３ａ  電極部
１１  制御部
１２  表示部
１３  音声出力部
１４  記録部
１５  電源部
１６  交流電源
１７  バッテリ
１８  アンプ部
１９  高圧部
２０  リレー
２１  インピーダンスセンサ
３０  充電スイッチ
３１、３２  通電スイッチ
４１  音声ガイド格納部
４２  再生履歴格納部
【図１】
0006491925.tif 000002
【図２】
0006491925.tif 000003
【図３】
0006491925.tif 000004
【図４】
0006491925.tif 000005